(57)【特許請求の範囲】
【請求項１】
信号接続端子及びグランド接続端子を形成された印刷配線基板に実装されて使用されるものであって、
絶縁ハウジングに取り付けられた中心コンタクト、及びその中心コンタクトを取り囲むように絶縁ハウジングに取り付けられた円筒状の外部コンタクトにそれぞれ設けられた半田接続端子部が、前記印刷配線基板の信号接続端子及びグランド接続端子に半田接合されて実装され、
前記中心コンタクト及び外部コンタクトに対して、嵌合相手としての他のコネクタに設けられた中心コンタクト、及びその中心コンタクトを取り囲む円筒状の外部コンタクトが接触して電気的な接続が行われるように構成された同軸型電気コネクタにおいて、
前記絶縁ハウジングが、前記印刷配線基板に形成された凹部又は透孔からなるコネクタ取付け部に挿入可能な形状を備えているとともに、
その絶縁ハウジングには、前記コネクタ取付け部への挿入時に、当該コネクタ取付け部が開口している前記印刷配線基板の表面に当接するコネクタ保持部が、前記絶縁ハウジングの本体部からフランジ形状をなして突出して前記コネクタ取付け部の開口から外方に延出するように設けられているとともに、
前記中心コンタクト及び外部コンタクトの半田接続端子部が、前記絶縁ハウジングを前記コネクタ取付け部に挿入した状態で前記コネクタ取付け部から外方に延出するように形成されたものであって、
前記半田接続端子部における前記コネクタ取付け部からの外方延出部分が、前記信号接続端子及びグランド接続端子の反対側から前記コネクタ保持部により覆われることを特徴とする同軸型電気コネクタ。
【請求項２】
前記円筒状コンタクトの内方側の領域に、前記嵌合相手としての他のコネクタが挿入されるように構成されていることを特徴とする請求項１記載の同軸型電気コネクタ。
【請求項３】
前記コネクタ取付け部が形成された印刷配線基板と、請求項１乃至請求項２のいずれかに記載の同軸型電気コネクタと、を備えたことを特徴とする同軸型電気コネクタ組立体。
【請求項４】
信号接続端子及びグランド接続端子を形成された印刷配線基板と、その印刷配線基板に実装されるリセプタクルコネクタと、当該リセプタクルコネクタに対する嵌合相手としてのプラグコネクタと、を備え、
前記リセプタクルコネクタの絶縁ハウジングに取り付けられた中心コンタクト、及びその中心コンタクトを取り囲むように絶縁ハウジングに取り付けられた円筒状の外部コンタクトにそれぞれ設けられた半田接続端子部が、前記印刷配線基板の信号接続端子及びグランド接続端子に半田接合されて実装され、
前記リセプタクルコネクタに設けられた前記中心コンタクト及び外部コンタクトに対して、前記プラグコネクタに設けられた中心コンタクト、及びその中心コンタクトを取り囲む円筒状の外部コンタクトが接触して電気的な接続が行われるように構成された同軸型電気コネクタ組立体において、
前記リセプタクルコネクタの絶縁ハウジングが、前記印刷配線基板に形成された凹部又は透孔からなるコネクタ取付け部に挿入可能な形状を備えているとともに、
そのリセプタクルコネクタの絶縁ハウジングには、前記コネクタ取付け部への挿入時に、当該コネクタ取付け部が開口している前記印刷配線基板の表面に当接するコネクタ保持部が、前記絶縁ハウジングの本体部からフランジ形状をなして突出して前記コネクタ取付け部の開口から外方に延出するように設けられているとともに、
前記リセプタクルコネクタの中心コンタクト及び外部コンタクトの半田接続端子部が、前記絶縁ハウジングを前記コネクタ取付け部に挿入した状態で前記コネクタ取付け部から外方に延出するように形成されたものであって、
前記半田接続端子部における前記コネクタ取付け部からの外方延出部分が、前記信号接続端子及びグランド接続端子の反対側から前記コネクタ保持部により覆われることを特徴とする同軸型電気コネクタ組立体。
【発明の詳細な説明】
【技術分野】
【０００１】
本発明は、円筒状コンタクト同士が接触・離間するようにして両コネクタの嵌合・抜去が行われるように構成された同軸型電気コネクタおよび同軸型電気コネクタ組立体に関する。
【背景技術】
【０００２】
一般に、種々の電気機器等において、同軸ケーブル等の各種信号伝送媒体を電気的に接続するための電気コネクタが広く用いられている。例えば図１０に示されている同軸型電気コネクタにおいては、印刷配線基板Ｐ上に実装されて使用されるリセプタクルコネクタ１に対して、信号伝送媒体としての同軸ケーブル（本発明を表した図１における符号ＳＣ参照）の端末部分を連結されたプラグコネクタ２が、図示の上下方向に嵌合・抜去可能となるように構成されている。そのうちのリセプタクルコネクタ１は、板状をなす絶縁ハウジング１ａに、信号伝送用の中心コンタクト１ｂと、接地グランド用の外部コンタクト１ｃとが略同心状をなすように取り付けられている。また、嵌合相手として構成されたプラグコネクタ２の絶縁ハウジング２ａの内外には、信号伝送用の中心コンタクト２ｂと、接地グランド用の外部コンタクト２ｃとが略同心状に取り付けられている。このようなリセプタクルコネクタ１に対してプラグコネクタ２が、上方側から下方に向かって挿入されると、中心コンタクト１ｂ，２ｂ同士、及び外部コンタクト１ｃ，２ｃ同士が、径方向の内外に重なり合うように接触して電気的な接続が行われる。
【０００３】
一方、近年における電子機器の小型化及び薄型化に伴って、同軸型電気コネクタにおいても小型化、特に低背化の要請が強くなって来ている。例えば、下記の特許文献においては、印刷配線基板に形成された凹部又は透孔からなるコネクタ取付け部に、同軸型電気コネクタが落とし込まれるように挿入される構成が採用されており、それによって同軸型電気コネクタの実装高さを低減することが行われている。
【０００４】
しかしながら、これらの従来技術における同軸型電気コネクタでは、印刷配線基板に対するコネクタの保持作用が、印刷配線基板への導電コンタクトなどの端子の半田接合力で行われている。そのため、嵌合相手の電気コネクタ（プラグコネクタ）が嵌合又は抜去される際に、導電コンタクトなどの端子や半田接合部に負荷が集中することとなって、導電コンタクトなどの部品が変形したり、或いは半田接合部において剥離を生じるおそれもある。
【先行技術文献】
【特許文献】
【０００５】
【特許文献１】実開平０３−１１９９７６号公報
【特許文献２】特開２００２−４２９８５号公報
【発明の概要】
【発明が解決しようとする課題】
【０００６】
そこで本発明は、簡易な構成で、低背化を実現しつつ、嵌合又は抜去に対する保持性を高めることができるようにした同軸型電気コネクタを提供することを目的とする。
【課題を解決するための手段】
【０００７】
上記目的を達成するため本発明にかかる同軸型電気コネクタ又はその組立体では、信号接続端子及びグランド接続端子を形成された印刷配線基板に実装されて使用されるものであって、絶縁ハウジングに取り付けられた中心コンタクト、及びその中心コンタクトを取り囲むように絶縁ハウジングに取り付けられた円筒状の外部コンタクトにそれぞれ設けられた半田接続端子部が、前記印刷配線基板の信号接続端子及びグランド接続端子に半田接合されて実装され、前記中心コンタクト及び外部コンタクトに対して、嵌合相手としての他のコネクタに設けられた中心コンタクト、及びその中心コンタクトを取り囲む円筒状の外部コンタクトが接触して電気的な接続が行われるように構成された同軸型電気コネクタにおいて、前記絶縁ハウジングが、前記印刷配線基板に形成された凹部又は透孔からなるコネクタ取付け部に挿入可能な形状を備えているとともに、その絶縁ハウジングには、前記コネクタ取付け部への挿入時に、当該コネクタ取付け部が開口している前記印刷配線基板の表面に当接するコネクタ保持部が、前記絶縁ハウジングの本体部からフランジ形状をなして突出して前記コネクタ取付け部の開口から外方に延出するように設けられているとともに、前記中心コンタクト及び外部コンタクトの半田接続端子部が、前記絶縁ハウジングを前記コネクタ取付け部に挿入した状態で前記コネクタ取付け部から外方に延出するように形成されたものであって、前記半田接続端子部における前記コネクタ取付け部からの外方延出部分が、前記信号接続端子及びグランド接続端子の反対側から前記コネクタ保持部により覆われる構成が採用されている。
【０００８】
このような構成を有する本発明によれば、印刷配線基板に形成された凹部又は透孔からなるコネクタ取付け部内に絶縁ハウジングが挿入されることによって、実装時において低背化が行われるとともに、実装を完了時点においてはコネクタ保持部が印刷配線基板の表面上に当接するとともに、そのコネクタ保持部が、中心コンタクト及び外部コンタクトの半田接続端子部を覆う支持構造が構成されることから、嵌合相手の電気コネクタ（プラグコネクタ）が嵌合又は抜去される際の負荷が、コネクタ保持部を介して絶縁ハウジングにより安定的に受けられることとなり、導電コンタクトなどの部品の変形が防止されるとともに、半田接合部の剥離が防止されるようになっている。
【００１０】
さらに、このような構成を有する本発明によれば、絶縁ハウジングのコネクタ保持部が容易に形成される。
【００１１】
また、本発明においては、前記円筒状コンタクトの内方側の領域に、前記嵌合相手としての他のコネクタが挿入されるように構成されていることが望ましい。
【００１２】
このような構成を有する本発明によれば、嵌合相手の電気コネクタ（プラグコネクタ）が、円筒状コンタクトの内方側の領域で嵌合又は抜去されることとなり、コネクタ全体の大きさが小型化される。
【発明の効果】
【００１３】
以上述べたように本発明にかかる同軸型電気コネクタ又はその組立体は、印刷配線基板に凹部又は透孔からなるコネクタ取付け部を形成し、その印刷配線基板のコネクタ取付け部に絶縁ハウジングを挿入して実装を行うことにより低背化を実現するとともに、嵌合相手の電気コネクタが嵌合又は抜去される際における負荷を、中心コンタクト及び外部コンタクトの半田接続端子部を覆うコネクタ保持部を介して絶縁ハウジングにより安定的に支持することにより、導電コンタクトなどの部品の変形を防止するとともに半田接合部の剥離を防止するように構成したものであるから、簡易な構成で、低背化を実現しつつ嵌合又は抜去時における保持性を高めることができ、同軸型電気コネクタ又はその組立体の信頼性を安価かつ大幅に高めることができる。
【図面の簡単な説明】
【００１４】
【図１】本発明の一実施形態にかかる同軸型電気コネクタ組立体の全体構造を分離した状態として表した外観斜視説明図である。
【図２】図１に示された同軸型電気コネクタ組立体の全体構造を嵌合状態として表した外観斜視説明図である。
【図３】図１及び図２に示された同軸型電気コネクタ組立体の全体構造を表した平面説明図である。
【図４】図３に示された同軸型電気コネクタ組立体の全体構造を表した側面説明図である。
【図５】図３中の V−V 線に沿った縦断面説明図である。
【図６】図４中の VI−VI 線に沿った縦断面説明図である。
【図７】図１〜図６に示された同軸型電気コネクタ組立体を構成しているリセプタクルコネクタの単体構造を上方側から表した外観斜視説明図である。
【図８】図１〜図６に示された同軸型電気コネクタ組立体を構成しているリセプタクルコネクタの単体構造を下方側から表した外観斜視説明図である。
【図９】図１〜図６に示された同軸型電気コネクタ組立体を構成しているプラグコネクタの単体構造を下方側から表した外観斜視説明図である。
【図１０】従来における同軸型電気コネクタ組立体においてプラグコネクタとリセプタクルコネクタとを嵌合する途中の状態を、同軸ケーブルの軸線方向と直交する方向で切断して表した横断面説明図である。
【発明を実施するための形態】
【００１５】
以下、本発明の実施の形態を図面に基づいて詳細に説明する。
【００１６】
［コネクタ組立体について］
まず、図１〜図９に示された本発明の一実施形態にかかる同軸型電気コネクタの組立体は、適宜の電子回路が形成された印刷配線基板Ｐと、その印刷配線基板Ｐ上に実装された垂直嵌合型のリセプタクルコネクタ１０と、嵌合相手となる他のコネクタとしてのプラグコネクタ２０と、から構成されており、印刷配線基板Ｐ上のリセプタクルコネクタ１０に対してプラグコネクタ２０が上方側から嵌合され又は抜去されるようになっている。以下において、リセプタクルコネクタ１０に対してプラグコネクタ２０を差し込む嵌合方向を「下方向」とし、それとは反対に抜き出す抜去方向を「上方向」とする。
【００１７】
［印刷配線基板について］
上述したリセプタクルコネクタ１０が実装される印刷配線基板Ｐの所定位置には、リセプタクルコネクタ１０を挿入可能とするコネクタ取付け穴Ｐ１が形成されている。このコネクタ取付け穴Ｐ１は、平面略矩形状をなして印刷配線基板Ｐを上下方向に貫通する透孔から形成されており、そのコネクタ取付け穴Ｐ１の開口端縁に至るように、印刷配線基板Ｐの上側の表面に形成された導電路の端末部分が延出する配置関係になされている。
【００１８】
その印刷配線基板Ｐ上に形成された導電路の端末部分は、一対の信号接続端子Ｐ２，Ｐ２と、一対のグランド接続端子Ｐ３，Ｐ３と、を有している。そして、一対の信号接続端子Ｐ２，Ｐ２同士が、上述したコネクタ取付け穴Ｐ１の上端開口部を挟んで両側に対向するように配置されているとともに、それら一対の信号接続端子Ｐ２，Ｐ２同士の対向方向と直交する方向にコネクタ取付け穴Ｐ１を挟んだ両側には、一対のグランド接続端子Ｐ３，Ｐ３同士が対向するように配置されている。
【００１９】
［リセプタクルコネクタについて］
このような同軸型電気コネクタ組立体の一方を構成しているリセプタクルコネクタ１０は、中空円筒状部材からなる絶縁性の絶縁ハウジング（誘電体）１１を備えており、その中空円筒状をなす絶縁ハウジング１１の内方側の領域に、中空の円筒状コンタクトをなすように形成された中心コンタクト（シグナルコンタクト）１２と、外部コンタクト（グランドコンタクト）１３とが、略同心状をなすようにしてインサート成形により固定されている。
【００２０】
［絶縁ハウジングについて］
このリセプタクルコネクタ１０の絶縁ハウジング１１は、有底のカップ状部材からなるハウジング本体部１１ａを有している。そのハウジング本体部１１ａの外周形状は、上述したコネクタ取付け穴Ｐ１より僅かに小さい平面略矩形状をなすように形成されていて、当該コネクタ取付け穴Ｐ１の内方側に挿入可能となる構成になされている。また、そのハウジング本体部１１ａは、下端部に底面板１１ｂを有しているとともに、上端部が円形状の開口部に形成されており、上述したコネクタ取付け穴Ｐ１への挿入が、当該ハウジング本体部１１ａの底面板１１ｂから行われ、コネクタ取付け穴Ｐ１への挿入を完了した時点では、ハウジング本体部１１ａの上端側開口部が上方に向かって開口する構成になされている。
【００２１】
その絶縁ハウジング１１が有している上端開口部の外周側部分には、上述したハウジング本体部１１ａから半径方向外方側に向かってフランジ形状をなすように突出するコネクタ保持部１１ｃが一体的に設けられている。このコネクタ保持部１１ｃは、平面略八角形状をなすように形成されており、上述したコネクタ取付け穴Ｐ１の上端開口部より一回り大きく外方に張り出すように形成されている。そして、上述したように絶縁ハウジング１１がコネクタ取付け穴Ｐ１の内部に挿入された際には、印刷配線基板Ｐの上表面、すなわちコネクタ取付け穴Ｐ１の上端開口部を画成している表面に対して、上方側から当接する構成になされている。
【００２２】
［コンタクトについて］
一方、前述したように中心コンタクト（シグナルコンタクト）１２及び外部コンタクト（グランドコンタクト）１３は、各々信号伝送用及び接地グランド用として使用されるものであって、嵌合相手としてのプラグコネクタ２０に対して接触可能に設けられた嵌合接触部１２ａ，１３ａと、その嵌合接触部１２ａ，１３ａから半径方向の外方に向かって延出する半田接続端子部１２ｂ，１３ｂと、をそれぞれ備えている。
【００２３】
そのうちの嵌合接触部１２ａ及び１３ａは、前述したハウジング本体部１１ａの底面板１１ｂの中心部及び外周部から上方に立ち上がるように形成されており、それらの嵌合接触部１２ａ，１３ａが、ハウジング本体部１１ａの内方側領域において略同心状をなすように配置されている。中心コンタクト（シグナルコンタクト）１２の一部を構成している嵌合接触部１２ａは、水平方向の横断面が略円形状をなす導電性の中空ピン状部材から形成されており、その中心コンタクト１２の嵌合接触部１２ａを同心状に取り囲むようにして、上述した外部コンタクト（グランドコンタクト）１３の一部を構成する中空円筒状の嵌合接触部１３ａが、上述したハウジング本体部１１ａの内周壁面に沿うように配置されている。これらの中心コンタクト１２の嵌合接触部１２ａ、及び外部コンタクト１３の嵌合接触部１３ａのそれぞれには、後述する嵌合相手としてのプラグコネクタ２０の対応部位が嵌合され又は抜去されるようになっている。
【００２４】
一方、中心コンタクト（シグナルコンタクト）１２の半田接続端子部１２ｂは、上述した嵌合接触部１２ａから絶縁ハウジング１１の底面板１１ｂに沿って略水平に延在する二体の板状部材から形成されていて、当該半田接続端子部１２ｂ，１２ｂが、嵌合接触部１２ａを中心として半径方向の反対側に向かって延出している。それらの各半田接続端子部１２ｂにおける延出側の先端部分は、略直角上方に折れ曲がって絶縁ハウジング１１の外周壁面に沿って上方側に立ち上げられた後、さらにその立ち上がり上端部から半径方向の外方側に向かって略直角に折れ曲がって略水平に突出している。そして、それらの各半田接続端子部１２ｂにおける半径方向外端部分が、前述した印刷配線基板Ｐ上の信号接続端子Ｐ２に対して上方側から載置されて半田接合が行われる。
【００２５】
これに対して、外部コンタクト（グランドコンタクト）１３の一部を構成している嵌合接触部１３ａは、略中空円筒状部材から形成されており、当該嵌合接触部１３ａの内周壁面が、上述したハウジング本体部１１ａの内周壁面から中心側に向かって露出するように配置されている。
【００２６】
また、半田接続端子部１３ｂは、上述した嵌合接触部１３ａの下端縁部であって直径方向に対向する位置に一対のものが連接されている。これら一対の半田接続端子部１３ｂ，１３ｂは、前述した中心コンタクト（シグナルコンタクト）１２の半田接続端子部１２ｂ，１２ｂ同士を結んだ方向と略直交する方向に対向するように配置されている。より具体的には、嵌合接触部１３ａの下端縁から下方に突出した直後に上方側に折り返すように折り曲げ形成されて、絶縁ハウジング１１の外周壁面から外方に露出した状態で上方側に立ち上がるように延出し、さらにその立ち上がり方向の上端部から半径方向の外方側に向かって略直角に折れ曲がって略水平に突出している。そして、これらの各半田接続端子部１３ｂにおける半径方向外端部分が、前述した印刷配線基板Ｐ上のグランド接続端子Ｐ３に対して上方側から載置されて半田接合が行われる。
【００２７】
［プラグコネクタについて］
一方、本実施形態にかかる同軸型電気コネクタ組立体の嵌合相手の他のコネクタを構成しているプラグコネクタ２０は、前述したようにリセプタクルコネクタ１０に対して上方側から嵌合される垂直嵌合型コネクタとして構成されたものであるが、そのプラグコネクタ２０の絶縁ハウジング２１には、信号伝送媒体としての細線同軸ケーブルＳＣの端末部分が連結されている。以下、このプラグコネクタ２０に細線同軸ケーブルＳＣが連結される側の端縁部を「後端縁部」と呼び、それとは反対側の端縁部を「前端縁部」と呼ぶこととし、さらにそれらの後端縁部及び前端縁部に向かう各々の方向を「後方」及び「前方」と呼ぶものとする。
【００２８】
プラグコネクタ２０の絶縁ハウジング（誘電体）２１には、略円筒形状をなして下方に突出する本体挿入ガイド部２１ａが設けられているとともに、当該絶縁ハウジング２１の上端側部分には、信号伝送用の中心コンタクト（シグナルコンタクト）２２が配置されており、さらに絶縁ハウジング２１の外側表面には、薄板金属状部材からなる導電性シェル２３が装着されている。
【００２９】
その導電性シェル２３は、上述した絶縁ハウジング２１の本体挿入ガイド部２１ａを外方側から環状に覆う中空円筒状コンタクト部材からなる外部コンタクト２３ａをシェル本体部として備えているとともに、その外部コンタクト２３ａの上部には、当該外部コンタクト２３ａの上端開口部及び絶縁ハウジング２１を上方側から覆うシェル蓋部２３ｂが一体的に連設されている。
【００３０】
導電性シェル２３のシェル本体部を構成している外部コンタクト２３ａは、前述したリセプタクルコネクタ１０の外部コンタクト１３に比して小径の円筒状部材から形成されており、リセプタクルコネクタ１０との嵌合時に、外部コンタクト１３の内方側に嵌着される構成になされている。すなわち、このプラグコネクタ２０における外部コンタクト（円筒状コンタクト）２３ａの下端側開口部は、前述したリセプタクルコネクタ１０における外部コンタクト（円筒状コンタクト）１３の上端側開口部に対して、径方向の内外に略同心状に重なり合うように挿入される構成になされており、プラグコネクタ２０の外部コンタクト２３ａが、両コネクタ１０，２０同士の嵌合時に、リセプタクルコネクタ１０の外部コンタクト１３の内周表面に沿って下方に滑動してロック部が嵌合されることにより、両コネクタ１０，２０同士が略同心状の嵌合状態となって、プラグコネクタ２０の外部コンタクト２３ａが径方向の内側に位置し、リセプタクルコネクタ１０の外部コンタクト１３が径方向の外側に位置するように構成されている。
【００３１】
一方、プラグコネクタ２０における導電性シェル２３の一部を構成しているシェル蓋部２３ｂは、上述した外部コンタクト２３ａの上端開口部分を覆うように上方側から被さる構成になされている。このシェル蓋部２３ｂの後端部分には、縦断面略半円形状をなすケーブル支持部２３ｃが後方側に向かって略水平に突出するように設けられており、そのケーブル支持部２３ｃによって、上述した細線同軸ケーブルＳＣの端末部分が保持されるようになっている。
【００３２】
このとき、信号伝送媒体としての細線同軸ケーブルＳＣの端末部分は、外周被覆材が皮剥きされることによってケーブル中心導体（信号線）ＳＣａ、及びケーブル外部導体（シールド線）ＳＣｂが同軸状をなすように露出されており、当該細線同軸ケーブルＳＣの中心軸線に沿うようにして配置されたケーブル中心導体ＳＣａが、絶縁ハウジング２１に取り付けられた中心コンタクト（シグナルコンタクト）２２に接続されることによって信号回路が構成されるようになっている。また、そのケーブル中心導体ＳＣａの外周側を取り囲むように配置されたケーブル外部導体ＳＣｂは、導電性シェル２３のシェル蓋部２３ｂに接触するように保持され、そのシェル蓋部２３ｂが外部コンタクト２３ａに連続していることによりグランド回路が構成されるようになっている。
【００３３】
このとき、細線同軸ケーブルＳＣの端末部分を連結して固定する前の初期状態においては、上述した導電性シェル２３のシェル蓋部２３ｂが、上方へ開放された状態になされている。すなわち、その初期状態におけるシェル蓋部２３ｂは、上述したケーブル支持部２３ｃの反対側、つまりシェル本体部としての外部コンタクト２３ａの前端側部分に、細幅状部材からなる繋ぎ部材を介して略鉛直上方に立ち上がるように配置されている。また、そのシェル蓋部２３ｂの内方側には、前述した絶縁ハウジング２１の本体挿入ガイド部２１ａから上方に立ち上がる絶縁押圧板２１ｂが、シェル蓋部２３ｂの内表面に沿うように配置されている。
【００３４】
そして、導電性シェル２３の初期開放状態において、細線同軸ケーブルＳＣの端末部分がケーブル支持部２３ｃに受けられるように載置されてセットされた後に、繋ぎ部材が絶縁押圧板２１ｂとともに略直角に折り曲げられるようにしてシェル蓋部２３ｂが回動して略水平状態まで押し倒される。これによって、絶縁ハウジング２１の本体挿入ガイド部２１ａ、及び導電性シェル２３の外部コンタクト２３ａの上端開口部分がシェル蓋部２３ｂにより上方側から覆われ、絶縁ハウジング２１及び導電性シェル２３が閉塞状態になされる。このシェル蓋部２３ｂのケーブル支持部２３ｃは、上述した細線同軸ケーブルＳＣに対して上方側部分から外側部分を覆うように被せられる構成になされていて、そのシェル蓋部２３ｂの両側板状部材が内方側に折り曲げられてカシメによる固定が行われ、ケーブル外部導体ＳＣｂが、ケーブル支持部２３ｃに接触することで導電性シェル２３によるグランド回路が構成されることとなる。
【００３５】
ここで、プラグコネクタ２０に設けられた中心コンタクト（シグナルコンタクト）２２は、絶縁ハウジング２１の本体挿入ガイド部２１ａに圧入又はインサート成形等により取り付けられていて、特に図５に示されているように、上述した細線同軸ケーブルＳＣのケーブル中心導体（信号線）ＳＣａに接続されるケーブル挟持部２２ａと、そのケーブル挟持部２２ａから下方側に向かって延出して、前述したようにリセプタクルコネクタ１０の中心コンタクト１２に接触するコンタクト接触部２２ｂとを有している。
【００３６】
そのうちのケーブル挟持部２２ａは、側面視したときの形状が略Ｕ字形状を横長に倒した形状をなすように折り曲げ形成されたクリップビーム構造を有しており、細線同軸ケーブルＳＣのケーブル中心導体（信号線）ＳＣａを上下からクリップ状に挟むように形成されている。このケーブル挟持部２２ａを構成している上側ビーム部の途中部分には、前記ケーブル中心導体（信号線）ＳＣａを上方側から押圧する下方突起部が設けられている。
【００３７】
なお、上述した細線同軸ケーブルＳＣの端末部分を連結する前の初期状態においては、ケーブル挟持部２２ａの上側ビーム部分も上方側に開放された状態になされている。すなわち、その初期開放状態におけるケーブル挟持部２２ａの上側ビーム部分は、斜め上方に向かって立ち上がる形状を有しており、細線同軸ケーブルＳＣの端末部分がケーブル支持部２３ｃ上に載置されてセットされた状態から、前述したように導電性シェル２３のシェル蓋部２３ｂが絶縁押圧板２１ｂとともに略水平状態まで押し倒されると、当該ケーブル挟持部２２ａの上側ビーム部分が絶縁押圧板２１ｂによって略水平状態まで押し倒され、ケーブル中心導体（信号線）ＳＣａを上方側から押圧するように構成されている。
【００３８】
また、中心コンタクト（シグナルコンタクト）２２のコンタクト接触部２２ｂは、上述したリセプタクルコネクタ１０の中心コンタクト（シグナルコンタクト）１２に対して、外方側から圧入される中空状部材から形成されており、絶縁ハウジング２１の本体挿入ガイド部２１ａの内部において、上述したケーブル挟持部２２ａから下方に向かって片持ち状をなして横断面略逆Ｕ字状をなすように延出しており、リセプタクルコネクタ１０の中心コンタクト１２に対して、当該コンタクト接触部２２ｂの弾性変位作用によって圧接される構成になされている。
【００３９】
このような構成を有する本実施形態によれば、印刷配線基板Ｐに対してリセプタクルコネクタ１０を実装する際に、当該リセプタクルコネクタ１０の絶縁ハウジング１１が、印刷配線基板Ｐに形成されたコネクタ取付け穴（透孔）Ｐ１の内方に挿入されることによってコネクタの低背化が行われる。
【００４０】
一方、リセプタクルコネクタ１０の実装を完了時点では、当該リセプタクルコネクタ１０に設けられたコネクタ保持部１１ｃが、印刷配線基板Ｐの上表面、すなわちコネクタ取付け穴Ｐ１の上端開口部を画成している表面に上方側から当接する支持構造が構成されていることから、嵌合相手のプラグコネクタ２０が嵌合又は抜去される際における負荷が、コネクタ保持部１１ｃを介して絶縁ハウジング１１により安定的に受けられ、中心コンタクト（シグナルコンタクト）１２や外部コンタクト（グランドコンタクト）１３などの部品の変形が防止されるとともに、半田接続端子部１２ｂ，１３ｂにおける剥離が防止されるようになっている。
【００４１】
特に、本実施形態においては、絶縁ハウジング１１のコネクタ保持部１１ｃが、ハウジング本体部１１ａからフランジ形状をなすように突出していることから、コネクタ保持部１１ｃが容易に形成される。
【００４２】
さらに、本実施形態では、リセプタクルコネクタ１０の内方側の領域に、嵌合相手としてプラグコネクタ２０が挿入されて嵌合又は抜去されることから、コネクタ全体の大きさの小型化されるようになっている。
【００４３】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００４４】
例えば、上述した実施形態におけるコネクタ取付け穴は、平面略矩形状をなすように形成されているが、円形状や他の形状とすることも可能である。また、そのコネクタ取付け穴は、上述した実施形態のような透孔とすることなく、底面が閉塞された凹部として形成することも可能である。この場合、従来技術では必要であった凹部の深さ寸法の管理が不要となるメリットがある。
【００４５】
さらに、上述した実施形態においては、コネクタ保持部をフランジ状に形成しているが、その他の機械的固定手段を構成するように形成することも可能である。
【００４６】
さらにまた、上述した実施形態は、垂直嵌合型の電気コネクタに本発明を適用したものであるが、水平嵌合型の電気コネクタに対しても同様に適用することができる。
【００４７】
また、本発明は、上述した実施形態のような単体の細線同軸ケーブル用コネクタに限定されることはなく、多極状に配置された細線同軸ケーブル用コネクタや、細線同軸ケーブルと絶縁ケーブルとが複数混合したタイプの電気コネクタや、フレキシブル配線基板等が連結される電気コネクタ等についても同様に適用することが可能である。
【産業上の利用可能性】
【００４８】
以上のように本実施形態は、各種電気機器に使用される多種多様な同軸型電気コネクタに対して広く適用することが可能である。
【符号の説明】
【００４９】
Ｐ  印刷配線基板
Ｐ１  コネクタ取付け穴
Ｐ２  信号接続端子
Ｐ３  グランド接続端子
１０  リセプタクルコネクタ
１１  絶縁ハウジング
１１ａ  ハウジング本体部
１１ｂ  底面板
１１ｃ  コネクタ保持部
１２  中心コンタクト（シグナルコンタクト）
１２ａ  嵌合接触部
１２ｂ  半田接続端子部
１３  外部コンタクト（グランドコンタクト）
１３ａ  嵌合接触部
１３ｂ  半田接続端子部
２０  プラグコネクタ
２１  絶縁ハウジング
２１ａ  本体挿入ガイド部
２１ｂ  絶縁押圧板
２２  中心コンタクト（シグナルコンタクト）
２２ａ  ケーブル挟持部
２２ｂ  コンタクト接触部
２３  導電性シェル
２３ａ  外部コンタクト
２３ｂ  シェル蓋部
２３ｃ  ケーブル支持部
ＳＣ  細線同軸ケーブル（信号伝送媒体）
ＳＣａ  ケーブル中心導体（信号線）
ＳＣｂ  ケーブル外部導体（シールド線）
【図１】
0005790245.tif 000002
【図２】
0005790245.tif 000003
【図３】
0005790245.tif 000004
【図４】
0005790245.tif 000005
【図５】
0005790245.tif 000006
【図６】
0005790245.tif 000007
【図７】
0005790245.tif 000008
【図８】
0005790245.tif 000009
【図９】
0005790245.tif 000010
【図１０】
0005790245.tif 000011